(57)【特許請求の範囲】
【請求項１】
骨鉗子であって：
前記骨鉗子は、近位端部及び遠位端部を有する上部シャフトを備え、
前記上部シャフトの前記近位端部は切断縁部を有し、前記上部シャフトの遠位端部はキャビティを画定し；
前記上部シャフトは、近位端部及び遠位端部を有する固定底部シャフトに摺動可能に接続され、前記底部シャフトの前記近位端部は足板を有し、前記底部シャフトの遠位端部はスロットと固定後部ハンドルへの移行部分とを画定し；
前記骨鉗子は、遠位端部及び近位端部を有する前部ハンドルを備え、
前記前部ハンドルの前記遠位端部は、前記固定底部シャフトに枢動可能に接続されたハンドルを画定し、前記前部ハンドルの前記近位端部は前記スロットを通過して前記キャビティに嵌合され；
前記前部ハンドルの前記近位端部及び前記上部シャフトの前記遠位端部は、駆動ピン−駆動孔組立体を含み、前記駆動ピンは、前記上部シャフトの前記遠位端部が前記駆動ピン−駆動孔組立体に枢動可能に接続されるように前記駆動孔に受承され；
前記骨鉗子は、前記固定底部シャフトに動作可能に取り付けられた、前記前部ハンドルの前記近位端部の後部表面に接触する、プッシュボタン式アクチュエータを備え、
前記プッシュボタン式アクチュエータは、外周及び溝を有し；
通常位置において、前記前部ハンドルの前記後部表面は、前記プッシュボタン式アクチュエータの前記外周に接触し、これによって前記上部シャフトの引き出しを制限し；
前記プッシュボタン式アクチュエータを作動位置まで押し下げると、前記前部ハンドルの前記後部表面は、前記プッシュボタン式アクチュエータの前記溝に接触し、これによって前記上部シャフトを引き出して前記固定底部シャフトから分離でき、また前記駆動ピン−駆動孔組立体において少なくともある鋭角だけ蝶番式に開くことができ、前記骨鉗子を完全な洗浄及び滅菌に供することができ、
前記プッシュボタン式アクチュエータは、前記プッシュボタン式アクチュエータを前記通常位置へと付勢する圧縮ばねを更に備え、
前記圧縮ばねは、前記スロットの内壁に取り付けられた遠位端部と、前記プッシュボタン式アクチュエータに接触する近位端部とを有する、骨鉗子。
【請求項２】
前記キャビティは、駆動ピンと垂直に交差する、請求項１に記載の骨鉗子。
【請求項３】
前記前部ハンドルの前記近位端部は、前記駆動孔を画定する、請求項１に記載の骨鉗子。
【請求項４】
前記駆動孔は、前記駆動ピンの運動を可能とするよう伸長形状となっている、請求項１に記載の骨鉗子。
【請求項５】
前記スロットは、前記固定底部シャフトの内側中央に位置決めされる、請求項１に記載の骨鉗子。
【請求項６】
前記駆動孔は、前記駆動ピンの外側表面を完全に封止する、請求項１に記載の骨鉗子。
【請求項７】
前記駆動ピン−駆動孔組立体において前記上部シャフトを閉じ、前記上部シャフトを前記固定底部シャフトに摺動可能に再接続することにより、前記プッシュボタン式アクチュエータは前記通常位置に復帰し、これにより前記前部ハンドルの前記後部表面は前記プッシュボタン式アクチュエータの前記外周に接触する、請求項１に記載の骨鉗子。
【請求項８】
前記前部ハンドル及び前記後部ハンドルに係合して、前記前部ハンドルを前記後部ハンドルから離間するように付勢するレバーばねを更に備える、請求項１に記載の骨鉗子。
【発明の詳細な説明】
【技術分野】
【０００１】
本発明は一般に、医療機器の分野に関する。具体的には本発明は、より良好な洗浄及び滅菌を容易にするために長尺部品を分離できるようにするプッシュボタン式アクチュエータを有する、改良された骨鉗子に関する。
【背景技術】
【０００２】
外科的処置において、少量の組織又は骨物質を除去するために骨鉗子を使用する。機器から生体物質及びその他の汚染物質を完全に除去して機器を完全に滅菌することは、連続する処置において骨鉗子を再使用するにあたって極めて重要である。骨鉗子の様々な構成部品の洗浄及び滅菌を容易にするために、多数の骨鉗子が開発されてきた。これら骨鉗子の設計には、これら骨鉗子を分解、洗浄及び滅菌できるようにし、また次の使用のために再組み立てできるようにすることが含まれている。これには専門の技術者が必要であり、また洗浄のために必要な時間が延長される。更に最近になって、骨鉗子の上側長尺部品が取り付け手段によって骨鉗子の本体に対して鈍角を形成して取り付けられたままの状態で、骨鉗子の長尺部品を互いに完全に分離できる、骨鉗子が開発されている（Ｗｅｂｅｒによる特許文献１）。これは、分解及び再組み立てを必要とする骨鉗子に関する明らかな改良であるが、特に駆動スロットからの駆動ピンの解放を必要とする、複雑な設計を提示するものである。
【０００３】
従って、構造が簡略化され、より少数の部品しか有さないばかりか、骨鉗子の長尺部品に直接アクセスできるようにすることによって後続の使用のための洗浄及び滅菌が容易になった骨鉗子に対する需要が存在する。
【先行技術文献】
【特許文献】
【０００４】
【特許文献１】米国特許第５９６１５３１号
【発明の概要】
【発明が解決しようとする課題】
【０００５】
本発明は、洗浄及び滅菌が必要な部品をプッシュボタン式アクチュエータで分離できるようにすることで、これら部品に直接アクセスできるようにした、より少数の部品しか有さない、より簡潔かつ洗練された設計の骨鉗子を対象とする。
【課題を解決するための手段】
【０００６】
本開示では、固定底部シャフト及び可動上部シャフト（即ち長尺部品）を有する骨鉗子を提示する。上部シャフトは固定底部シャフトに摺動可能に接続され、固定底部シャフトと軸方向に位置合わせされる。上部シャフトは、切断部分を有する遠位端部と、キャビティを含む近位端部とを有し、上記キャビティを横切って駆動ピンが接続される。骨鉗子を組み立てると、駆動ピンは前部ハンドルの駆動孔に捕捉されたまま維持される。プッシュボタン式アクチュエータを作動させると、可動上部シャフトは僅かに引き出され、これにより、可動上部シャフトと固定底部シャフトとを、これらの間に鋭角が形成された状態で分離できる。これにより、洗浄及び滅菌のための長尺部品への完全かつ直接的なアクセスが可能となる。
【０００７】
本発明は、洗浄及び滅菌を容易にしながらも、より少数の部品しか必要としない、より簡潔な骨鉗子を対象としているが、本発明は他の様々な特定の種類の骨鉗子に応用できる。更に本発明は、適切に洗浄及び滅菌するのが困難であるアクセス不可能な表面を有する、他のタイプの医療機器にも応用される。
【図面の簡単な説明】
【０００８】
【図１】図１は、使用準備完了状態である切断位置における、骨鉗子の斜視図である。
【図２Ａ】図２Ａは、可動上部シャフトが固定底部シャフトに対して鋭角を形成した状態で分離され、洗浄準備完了状態となっている、骨鉗子の斜視図である。
【図２Ｂ】図２Ｂは、骨鉗子の可動上部シャフトの近位端部のキャビティ及び固定底部シャフトのスロットの破断図であり、上記スロットにおいて固定底部シャフトは前部ハンドルと相互作用する。
【図３Ａ】図３Ａは、骨鉗子の部品の展開図である。
【図３Ｂ】図３Ｂは、骨鉗子の部品の拡大展開図である。
【図４】図４は、骨鉗子のプッシュボタン式アクチュエータの斜視図である。
【図５】図５は、骨鉗子のプッシュボタン式アクチュエータの断面図である。
【発明を実施するための形態】
【０００９】
図１は、本開示の発明の好ましい実施形態を示し、ここでは上部シャフト１０は、固定底部シャフト１に対して通常の切断位置にあり、使用準備完了状態となっている。上部シャフト１０は固定底部シャフト１に摺動可能に接続され、固定底部シャフト１と軸方向に位置合わせされる。上部シャフト１０は、切断縁部１１を有する近位端部と、駆動ピン１２と垂直に交差するキャビティ９（図２Ｂ参照）を含む遠位端部とを有する。固定底部シャフト１は、足板４を有する近位端部と、後部ハンドル２を形成する遠位端部とを有する。底部シャフト１から後部ハンドル２への移行部分には、固定底部シャフト１及びプッシュボタン式アクチュエータ２０と前部ハンドル１３との相互作用部分が存在する。前部ハンドル１３は後部ハンドル２に枢動可能に取り付けられ、レバーばね５によって開位置又は通常位置に保持される。レバーばね５は、後部ハンドル２の方向への前部ハンドル１３の圧迫に反発し、骨鉗子を通常位置に維持する。図１に示すように上部シャフト１０が固定底部シャフト１と摺動可能に係合している場合、プッシュボタン式アクチュエータ２０を押し下げることによって上部シャフト１０を引き出すことができ、これにより固定底部シャフト１から可動上部シャフト１０を、少なくともある鋭角４０（図２Ａ参照）だけ分離できる。これもまた図２Ａに示すように、固定底部シャフト１上の内側中央に位置決めされたスロット３が、固定底部シャフト１から後部ハンドル２への移行部分に存在する。上部シャフト１０を固定底部シャフト１から角度４０だけ分離させることにより、骨鉗子の長尺部品の全ての表面に、洗浄及び滅菌のために直接アクセスできるようになる。洗浄及び滅菌が行われたら、上部シャフト１０を固定底部シャフト１と摺動可能に接続された状態に戻すだけで、骨鉗子を完全な動作状態及び次の使用に対する準備状態へと戻すことができる。
【００１０】
図３Ａに示すように、前部ハンドル１３は、駆動孔１４を含む近位端部１５と、骨鉗子の前部ハンドル１３を形成する遠位端部とを有する。図２Ｂに移ると、前部ハンドル１３の近位端部１５は、固定底部シャフト１のスロット３を通過して上部シャフト１０のキャビティ９へと嵌合されており、このキャビティ９において駆動孔１４は駆動ピン１２を受承している。この簡潔な設計では、骨鉗子を組み立てると、骨鉗子を医療処置に使用している間、又はその後洗浄及び滅菌中の作動位置において、駆動ピン１２が駆動孔１４から外れることは決してない。図３Ａ、３Ｂは更に、プッシュボタン式骨鉗子の部品を示す。前部ハンドル１３の近位端部１５は、プッシュボタン式アクチュエータ２０が通常位置にあり使用準備完了状態となっている場合にアクチュエータシャフト２３（図４参照）に接触する、後部表面１６を有する。
【００１１】
図４は、プッシュボタン式アクチュエータ２０の構造を示す。プッシュボタン式アクチュエータ２０は、圧縮ばね２１と、溝２２を含むシャフト２３とからなる。
【００１２】
図５は、作動前の通常位置におけるプッシュボタン式アクチュエータ２０の断面図である。プッシュボタン式アクチュエータ２０は、固定底部シャフト１に動作可能に接続されている。圧縮ばね２１は、固定底部シャフト１のスロット３の内壁に取り付けられた遠位端部２８と、プッシュボタン式アクチュエータ２０に接触する近位端部２９とを有する。作動前、圧縮ばね２１は延伸して、プッシュボタン式アクチュエータ２０を通常位置に保持する。プッシュボタン式アクチュエータ２０を固定底部シャフト１の方向（矢印２５で示す方向）へと押圧することによって圧縮ばね２１を圧縮することで、プッシュボタン式アクチュエータ２０を作動位置（図示せず）へと押し下げる。プッシュボタン式アクチュエータ２０を作動させると、前部ハンドル１３の後部表面１６（図３Ｂ）は溝２２内へと滑動し、これにより、前部ハンドル１３の近位端の駆動孔１４を通して駆動ピン１２と係合している上部シャフト１０は、シャフト２３の外周から僅かに引き出され、溝２２の表面に接触する。そして上部シャフト１０を、固定底部シャフト１から角度４０だけ分離できる（図２参照）。上部シャフト１０を固定底部シャフト１から角度４０だけ分離させることにより、洗浄及び滅菌のために骨鉗子の部品に容易にアクセスできるようになる。このような長尺部品の角度４０の分離は、駆動孔１４内での駆動ピン１２の運動によって促進され、この駆動孔１４は、駆動ピン１２の上記運動を収容するよう伸長形状となっている。骨鉗子の使用中及び長尺部品が洗浄のために分離している間は常に、駆動ピン１２は駆動孔１４によって捕捉されたまま維持される。
【００１３】
洗浄後、上部シャフト１０は固定底部シャフト１に接触した状態に戻され、圧縮ばね２１はプッシュボタン式アクチュエータ２０を通常位置へと戻し、骨鉗子は使用準備完了状態（図１）となる。使用準備完了状態にある時、上部シャフト１０は固定底部シャフト１に摺動可能に接続され、また前部ハンドル１３の後部表面１６（図３Ｂ）がプッシュボタン式アクチュエータ２０のシャフト２３（図４、５）に接触することにより、前進位置に保持される。
【００１４】
プッシュボタン式骨鉗子の本開示の実施形態に関する上述の詳細は、以下の請求項において定義されるような本開示の発明の範囲及び精神から逸脱することなく当業者に明らかとなり得るプッシュボタン式アクチュエータの他の構成に対して制限を加えることを意図したものではない。
【図１】
0006258935.tif 000002
【図２Ａ】
0006258935.tif 000003
【図２Ｂ】
0006258935.tif 000004
【図３Ａ】
0006258935.tif 000005
【図３Ｂ】
0006258935.tif 000006
【図４】
0006258935.tif 000007
【図５】
0006258935.tif 000008